(57)【特許請求の範囲】
【請求項１】
地下足袋の接地底部より少なくとも上方部位の脚筒部迄に配設され、外胛側より踵部垂直中心線を超えて内胛側に一部重合するように延設せしめて巻着緊締される外胛部および内胛部に分離された布地アッパ−と、該布地アッパ−の内胛側に雄面ファスナ−を縫着した緊締ベルトの一端を、一方の自由端は前記布地アッパ−の踵部垂直中心線より少許内胛側に設けた緊締ベルトの挿通孔に挿通し折り返し前記雄面ファスナ−との略対称位置に縫着した雌面ファスナ−により緊付調整自在とした緊縛手段と、前記布地アッパ−の正面側の縫合中心線に沿って一端が縦方向に縫着固定され、他端の端縁裏部に縫着した雌面ファスナ−を前記踵部垂直中心線の略内胛側偏寄位置に設けた雄面ファスナ−と脱着自在に連結し前記緊縛手段を隠蔽状に締縛可能とした横方向に連結するフラップ部材を有することを特徴とする地下足袋。
【請求項２】
前記フラップ部材が一枚構造または二片以上の複数片から形成されたものである請求項１記載の地下足袋。
【発明の詳細な説明】
【０００１】
【産業上の利用分野】
本発明は地下足袋に関し、こはぜを省略し正確な位置で簡便に緊付調整自在とした緊縛手段と、該緊縛手段を含め脚筒部迄を隠蔽状に締縛可能な横方向に連結するフラップ部材を備え、履用感と併せ外観視認上もデザイン効果を高めた地下足袋に関する。
【０００２】
【従来の技術】
従来、日本在来の足袋に因み、甲おおいとゴム底を縫わない地下足袋は、甲おおいが木綿で、履き心地がよく、こはぜ掛けで着脱を行ない、また、指股がある為に足先に力が入り踏ん張り易いこと等により、今でもいわゆる労働用ばきの王座を占めている。
そして、地下足袋は、布地を縫合して得た胛被と、ゴム或いは合成樹脂からなる接地底とを、貼り付け、縫い付けして固着して製造されるが、接地底を足裏に密接させて履用感と足の緊締感や安定感が向上するように踏まず付近を上方に湾曲させた接地感が十分に維持される接地底が使用されている。
【０００３】
【発明が解決しようとする課題】
しかし、在来の地下足袋では、接地底の特性から足の動きや荷重に対する踏ん張りがきく等、土木、建築の現場や農作業その他種々の用途に使用範囲が拡がっているが、こはぜ式の連結形態は、手間取り無駄な労力を要する難点があった。この為、たとえば実開平７−３３０１では、上下に摺動するスライドファスナ−と、さらに外胛に上下方向にＶ字状の切欠部及び弾性糸編織布を縫着した地下足袋が提案されているが、着脱が容易で伸縮自在に縫着されていてもなお脚筒部での圧迫は許容範囲が狭く、さらに長時間の履用や緊縛ではスライドファスナ−金具部分の剛性にも起因し伸縮効果は阻害され伸縮効果は期待できない難点があった。また、特開平８−５２００１号公報等には、ゴム付ジッパ−地下足袋の提案がみられる。しかし履用時でのこはぜ付けの労力は解消されても、なおゴム付けジッパ−では弛緩範囲が狭く、ジッパ−自体の属性からも剛性要因が伴って脚筒部の緊締は依然として解消できない点に致命的な欠点が存在している。
【０００４】
また、地下足袋では、接地感が十分に維持される必要性から底を厚くできない為、履用につれて接地底との接際部が器物に接触したり、接触擦れ、或いは度重なる荷重を受けて損傷し易いため、該部分に補強片を縫い付けるか、接際部の周縁にゴムテ−プを貼り付け等が行われているが、補強効果が不十分、或いは重量が増加し、また、歩行中に屈曲部のゴムテ−プが剥離してしまう欠点がある為、接地底に連設した補強帯（特開平５−１１５３０１号公報）、爪先部分等を甲殻開平５−１１５３０３号公報には、接地底よりも弾性の高い弾性芯体を固着した構造とする安全地下足袋（実開平６−５２５０１号公報）、さらにアッパ−の親指部等の外周に防護板並びに粱板を固定した地下たび等のごとく、爪先部分の補強ならびに接触防護策について多くの提案がなされている。
しかしながら、作業現場等での障害物や落下物等との接触、衝撃では、爪先等の箇所に限らず、障害物や切片等の撥ね返りで足首部から脚筒部迄、特に向こう脛が衝撃や器物等により衝撃を受ける場合も少なくないが、脚筒部箇所の防護については対応が不十分であった。
【０００５】
さらに、最近では、通勤を伴う都会労働者が増えており、こはぜが付設された地下足袋は外観上も見栄えがよいといえず、さらにこはぜによる締着は、その操作の煩雑さと加え締縛状態も制約され、しかも特に足首部から脚筒部での緊締手段としても、必ずしも歩行性や快適性、並びに正確かつ自由な締縛状態といえない等、履用感と足の安定性、および接地感を維持し得ると共に、どのような運動方向に対しても踏ん張りがきき、撓みや捩れ等の動きに追随し、屈曲による歪みが吸収されて屈曲性が維持できる等、地下足袋の機能、形態での問題点について改善が望まれている。
【０００６】
本発明は地下足袋の接地底部より少なくとも上方部位の脚筒部迄に配設され、外胛側より踵部垂直中心線を超えて内胛側に一部重合するように延設せしめて巻着緊締される外胛部および内胛部に分離された布地アッパ−と、該布地アッパ−の内胛部に雄面ファスナ−を縫着した緊締ベルトの一端を、一方の自由端は前記布地アッパ−の踵部垂直中心線より少許内胛側に設けた緊締ベルトの挿通孔に挿通し折り返し前記雄面ファスナ−との略対称位置に縫着した雌面ファスナ−により緊付調整自在とした緊縛手段と、前記アッパ−の正面側の縫合中心線に沿って一端が縦方向に縫着固定され、他端の端縁裏部に縫着した雌面ファスナ−を前記踵部垂直中心線の略内胛側偏寄位置に設けた雌面ファスナ−と脱着自在に連結し前記緊縛手段を隠蔽状に締縛可能とした横方向に連結するフラップ部材を有することを特徴とする地下足袋を提供することを目的とする。また、本発明の第二の目的は、従来日本古来の地下たびの象徴的なこはぜを省略し、締付調整の自由度ならびに適宜所望の緊締状態を確保でき、さらに横方向に連結するフラップ部材による隠蔽状に締縛した脚筒部の履用感の快適性、ならびに外部衝撃に対する緩衝性、防護安全性を兼ね備え、かつ外観見栄えや体裁を整え、現代感覚のファッション性を備えた地下足袋を工業的有利に得ることにある。
【０００７】
【課題を解決するための手段】
上記目的を達成するために、本発明に係る地下足袋では、（１）地下足袋の接地底部より少なくとも上方部位の脚筒部迄に配設され、外胛側より踵部垂直中心線を超えて内胛側に一部重合するように延設せしめて巻着緊締される外胛部及び内胛部に分離された布地アッパ−と、（２）該布地アッパ−の内胛部に止着用雄面ファスナ−を縫着した緊締ベルトの一端を、一方の自由端は、前記布地アッパ−の踵部垂直中心線より少許内胛側に設けた緊締ベルトの挿通孔に挿通し折り返し、前記止着用雄面ファスナ−との略対称位置に縫着した巻着用雌面ファスナ−により緊付調整自在とした緊縛手段と、（３）前記布地アッパ−の正面側の垂直中心線に沿って一端が縦方向に縫着固定され他端の端縁裏部に縫着した巻着用雌面ファスナ−を、前記踵部垂直中心線の略内胛側偏寄位置に設けた止着用雄面ファスナ−と脱着自在に連結し、前記緊縛手段を隠蔽状に、締縛可能とした横方向に連結するフラップ部材を備えた地下足袋の構成としたものである。
【０００８】
本発明において、面ファスナ−は、たとえばヴェルクロ型のフック・ル−プ係合の緊締手段として、ポリアミド系樹脂等を素材とした部材からなる止着用雄面ファスナ−、ならびにル−プ部材よりなる巻着用雌面ファスナ−を使用することができる。その他マッシュル−ムタイプの止着用雄面ファスナ−等のいずれでも使用できる。
また、雄面ファスナ−部材および雌面ファスナ−部材は、それぞれの略対称位置に縫着されて係合装着されるが、その部材の装着対象部が逆であっても良い。
【０００９】
本発明において、フラップ部材は、地下足袋のアッパ−と均等の素材、或いは土砂、水泥等の侵入防止には、防水加工を施した布又は合成樹脂シ−ト等を裁断したものを使用することができる。
また、前記フラップ部材は、一枚構造であってもよいが、履用時に足首部と脚筒部との偏寄位置にしわやたるみが発生し易く、二片以上の複数片から形成されたフラップ部材を使用するのが適当である。
【００１０】
【発明の実施の形態】
本発明の地下足袋によれば、次のような特長を有する構成を有している。
（１）外胛側より踵部垂直中心線を超えて延設された、一部重合状態を可能とする横幅の許容調整長さを備え、該外胛側布地アッパ−と、内胛側布地アッパ−とは分離されているものの横方向の幅を適宜調整自在とした上方開口型で、互いに一部重合可能な長さ調整手段を備えた構成である。
（２）該布地アッパ−の連結装着には、略対称位置にそれぞれ縫着した面ファスナ−を採択した緊締ベルトを使用し、脱着並びに緊付調整自在とした緊縛連結手段を備え、撓みや捩じれ等の動きに追従し、足廻りのどのような運動方向に対しても踏ん張りがきき、脚筒部の屈曲による歪みが吸収されて屈曲性が維持され、履用感の向上と、足の安定性、接地感を維持し得る構成である。
（３）布地アッパ−の脚筒部の正面垂直中心線上に一端を縫着し、一方の自由端を１８０度隔てた裏面の踵部垂直中心線の位置迄の横幅長さを有し、かつ裏面端縁部に雌面ファスナ−を、前記踵部垂直中心線の少許内胛側に縫着した雄面ファスナ−とにより係合し、適宜締縛ならびに脱着自在に連結可能とした横方向のフラップ部材により、前記緊縛連結手段を隠蔽状に装着できる構成である。
上記の緊縛連結手段の構成によって、布地アッパ−の外胛側の踵部垂直中心線を内胛側に超えた延設部分を一部重合させ、履用者は手間のかかるこはぜの取扱いに代えて、簡便な面ファスナ−の脱着手段により自らの脚筒部のサイズに合わせて面ファスナ−を使用した緊締ベルトにより適宜緊付調整し得るように働く。また、該緊縛連結手段の構成を隠蔽状態とし、かつ締縛ならびに脱着自在に連結可能とした横方向のフラップ部材による構成によって、工事用現場等で外部より土砂、泥水侵入等の防止や、落下障害物等の衝撃、接触にも緩衝作用を果たすと共に、地下足袋に要求される高いフィット性、適切な締め付けアジャスト感および履用感を所望に応じて達成し得、さらに外観視認上もファッション性を高めるように働く。
【００１１】
【実施例】
本発明に係る地下足袋の一実施例について説明すると、以下のとおりである。図１は本発明に係る地下足袋の全体斜視説明図、図２は本発明に係る緊締連結手段の要部拡大説明図である。
【００１２】
図１、図２に示した実施例に係る連結式フラップを備えた地下足袋を説明すると、まず、従来の地下足袋の履着時でのこはぜ式を省略した構成となっている。図１および図２において、本発明に係る地下足袋本体１は、接地底部３と、甲被部の布製アッパ−２は、外胛部４および内胛部５とからなり、外胛部４は踵部垂直中心線１０を横方向に超えて踵部８で稍内胛部５偏寄位置まで延設されており、かつ開口部７に向かって傾斜状に内胛部５と一部重合させ、開口部７の周端縁１６では、前記延設した外胛部４が内胛部５の略中央位置近傍まで相重なった重複形態となっており、履用者の脚筒部６迄を覆って収容保持する。
【００１３】
また、本発明において、布製アッパ−２の緊締係着手段は、緊締ベルト１４の一端に止着用の雄面ファスナ−１２、他の自由端と前記一端の縫着位置と略対称位置に、巻着用の雌面ファスナ−１３を縫着し、それぞれ面ファスナ−による係合脱着が可能である。また、緊締ベルト１４の自由端は上記稍内胛部５まで延設された外胛部４の踵部垂直中心線１０の内側近傍に設けた挿通孔１５を挿通した後、折り返し状として前記内胛部５に一端を縫着し、略対称位置に装着された雄面ファスナ−１２と係合可能な構成とする。
これらの面ファスナ−の係合装着により、前記布製アッパ−２の外胛部４および内胛部５の相互の締縛ならびに脚筒部６までのフィット性を適宜調整し、脱着自在に係合装着する構成としたものである。
【００１４】
さらに、本発明において、フラップ部材９は、図１および図２に示すとおり、布製アッパ−２の正面側の縫合中心線１７に沿って縦方向に縫着されており、他端の端縁裏部１１に雌面ファスナ−１３を縫着し、前記踵部垂直中心線１０の略内胛部偏寄位置に縫着した雄面ファスナ−１２により脱着自在に連結係合し、前記緊締係着手段を隠蔽状に、かつ締縛自在に調整可能とした横方向に連結係合した構成とする。
【００１５】
上述のように構成した布製アッパ−２の緊締係着手段は、緊締ベルト１４ならびにそれぞれ面ファスナ−を使用した係合装着により、例えば金属スライドファスナ−等による係合箇所の剛性の影響も回避し、確実にかつ所望の緊締フィット性、締縛が保持され、しかも操作も簡便で任意に脱着或いは弛緩が可能である。さらに、上記緊締係着手段の構成を外観視認上も隠蔽状態とし、かつさらに締縛自在に緊締状態を再調整可能な横方向のフラップ部材を脱着自在に踵部垂直中心線１０に沿って装着可能とした連結フラップを備えた構成の為、比較的歩行や作業時に接触し易い内胛側偏寄位置に設けた、緊締係着手段の凹凸や突出状態を被覆する形態として適当である。また、工事用、農業用等での土砂、水泥、或いは雪中等での作業や歩行での侵入防止や、落下障害物の接触等にも緩衝作用を果たし、さらにファッション性の向上を図った構成とする。
【００１６】
【発明の効果】
以上のように、本発明の連結式フラップを備えた地下足袋によれば、上述の構成のとおり布製アッパ−の緊締係着手段に加えて、さらに連結フラップを備えた構成により、脚筒部での地下足袋に要求される高いフィット性、適切な締め付けアジャスト感ならびに履用感を地下足袋の履用者の所望に応じ最適な装着緊締状態を提供することができる。
また、工事現場、農業用等での土砂、水泥等の侵入防止や、雪中等での歩行、落下障害物の接触、衝撃等にも緩衝作用を果たし、さらにファッション性の向上を図り得る等の効果を奏する。
【図面の簡単な説明】
【図１】本発明に係る地下足袋の一実施例を示す全体斜視説明図である。
【図２】図２は本発明に係る地下足袋の緊締連結手段の要部拡大説明図である。
【符号の説明】
１  地下足袋本体
２  布地アッパ−
３  接地底部
４  外胛部
５  内胛部
６  脚筒部
７  開口部
８  踵部
９  フラップ部材
１０  踵部垂直中心線
１１  端縁裏部
１２  雄面ファスナ−
１３  雌面ファスナ−
１４  緊締ベルト
１５  挿通孔
１６  周端縁
１７  縫合中心線
【図１】
0003798067.tif 000002
【図２】
0003798067.tif 000003